(57)【要約】【課題】可動床の下面から力を作用して可動床を昇降するプール床昇降装置の構造を簡素化する。【解決手段】本発明によるプール床昇降装置は，駆動装置（２０）と，駆動装置（２０）によって回転運動が与えられるねじ軸（１４−１）と，ねじ軸（１４−１，３０）に挿入され，ねじ軸（１４−１）の回転運動によって直線運動を行うナット（１２，１３）と，可動床（１）の下面に接合され，ナット（１２，１３）の直線運動を，可動床（１）を昇降する昇降運動に変換する昇降機構（２）とを備えている。ねじ軸（１４−１）の回転運動は，ナット（１２，１３）の直線運動を介して可動床（１）を昇降する昇降運動に容易に変換される一方，可動床（１）に力を作用しても，ねじ軸（１４−１）は，回転運動しない。このような構造は，可動床（１）を支持するためにラチェット等の係止手段を設けることを不要化し，プール床昇降装置の構造を簡素化する。【選択図】　図１
2004116243.tif 000002
【特許請求の範囲】
【請求項１】
駆動装置と，
前記駆動装置によって回転運動が与えられるねじ軸と，
前記ねじ軸に挿入され，前記ねじ軸の回転運動によって直線運動を行うナットと，
可動床の下面に接合され，前記ナットの直線運動を，可動床を昇降する昇降運動に変換する昇降機構
とを備えた
プール床昇降装置。
【請求項２】
請求項１に記載のプール床昇降装置において，
前記昇降機構は，前記可動床をその内部に収容するプール槽の床面と，前記可動床の下面との間に介設され，前記ナットによって駆動されて前記ねじ軸と垂直な方向に伸縮するリンク機構を含む
プール床昇降装置。
【請求項３】
請求項１に記載のプール床昇降装置において，
更に，
前記駆動装置に接続され，前記駆動装置によって回転される第１ロッドと，
第２ロッドと，
前記第１ロッドと前記第２ロッドとを屈曲可能に，且つ，前記回転運動を伝達可能に連結する第１自在継手と，
前記第２ロッドと前記ねじ軸とを屈曲可能に且つ，前記回転運動を伝達可能に連結する第２自在継手
とを備え，
前記ナットは，第１ナットと第２ナットとを含み，
前記昇降機構は，
一端が，前記可動床が挿入されるプール槽の床面に回動可能に接続される第１アームと，
一端が，前記可動床が挿入される前記床面に回動可能に接続される第２アームと，
一端が，前記可動床の下面に回動可能に接続され，他端が，前記第１アームに回動可能に接続される第３アームと，
一端が，前記可動床の下面に回動可能に接続され，他端が，前記第２アームと回動可能に接続される第４アーム
とを備えたパンタグラフ機構であり，
前記第１ナットは，前記第１アームと前記第３アームとの少なくとも一方に回動可能に接合され，
前記第２ナットは，前記第２アームと前記第４アームとの少なくとも一方に回動可能に接合された
プール床昇降装置。
【請求項４】
請求項３に記載のプール床昇降装置において，
前記第１ロッドは，前記プール槽の側面を貫通して設けられ，
前記駆動装置は，前記プール槽の外部に設けられる
プール床昇降装置。
【請求項５】
請求項１に記載のプール床昇降装置において，
前記昇降機構は，
一端が，前記可動床が挿入されるプール槽の床面に回動可能に接続され，他端が，前記可動床の下面に接触する第１アームと，
一端が，前記可動床の下面に回動可能に接続され，他端が，前記プール槽の床面に接触し，前記他端の近傍に前記ナットが回動可能に接合された第２アームと，
前記第１アームと前記第２アームとのそれぞれの中間部に設けられ，前記第１アームと前記第２アームとを相互に回転可能に連結するピン
とを含む
プール床昇降装置。
【請求項６】
請求項５に記載のプール床昇降装置において，
更に，前記ねじ軸を前記駆動装置に連結するロッドを備え，
前記ロッドは，前記プール槽の側面を貫通して設けられ，
前記駆動装置は，前記プール槽の外部に設けられる
プール床昇降装置。
【請求項７】
請求項５に記載のプール床昇降装置において，
前記第１アームの前記可動床の下面に接触する前記他端には，第１ローラが設けられた
プール床昇降装置。
【請求項８】
請求項５に記載のプール床昇降装置において，
前記第２アームの前記プール槽の床面に接触する前記他端には，第２ローラが設けられた
プール床昇降装置。
【請求項９】
請求項１に記載のプール床昇降装置において，
更に，
前記ねじ軸と，同体に回転するように前記ねじ軸に連結された他のねじ軸と，
前記他のねじ軸に挿入され，前記他のねじ軸の回転運動によって直線運動を行う他のナットと，
前記可動床の下面に接合され，前記他のナットの直線運動を，前記可動床を昇降する昇降運動に変換する他の昇降機構
とを備えた
プール床昇降装置。
【発明の詳細な説明】
【０００１】
【発明の属する技術分野】
本発明は，プール床昇降装置に関する。本発明は，特に，昇降可能な可動床を支持し，更に昇降するために使用されるプール床昇降装置に関する。
【０００２】
【従来の技術】
昇降可能な可動床を備えた可変床式プールは，プールの深さを用途に応じて調節可能である点で便利である。例えば，背の低い子供がプールで遊泳するときには，可動床を上昇することにより，子供の安全を確保できる。一方，シンクロナイズドスイミングが行われる場合には，可動床を下降することにより，シンクロナイズドスイミングを行うのに充分な深さが確保できる。
【０００３】
可動床を昇降し，又は支持する装置は，ワイヤー又はチェーンを可動床の端に接合して可動床を吊り下げる装置（特許文献１参照）と，可動床の下面から可動床を支持する装置（特許文献２乃至特許文献７）とに大別される。
【０００４】
可動床を吊り下げるプール床昇降装置は，ワイヤー又はチェーンを接合する部分が可動床の端に限定されるため，可動床の面積が大きいとき可動床が撓むという問題がある。可動床の撓みの低減は，可動床の剛性を高くすることによって可能であるが，可動床の剛性を高くすることは，コストの増大の原因になる。
【０００５】
一方，下面から可動床を支持するプール床支持装置は，可動床の中間部で可動床を支持できるため，可動床が撓むという問題を回避しやすい点で有利である。大面積の可動床を昇降する場合には，可動床の下面から可動床を支持する装置は有利である。特許文献２には，伸縮自在のシリンダ機構によって可動床を可動床の下面から支持するプール床支持装置が開示されている。特許文献３乃至特許文献７には，リンク機構によってこれら可動床を下面から支持する装置が開示されている。特許文献３乃至特許文献７に記載の装置では，可動床を固定的に支持するためにアームを噛み合いによって係止するための係止手段がリンク機構に設けられる。特許文献３に記載のストッパブラケット１０，特許文献４に記載のピン３７，特許文献５に記載のロックギアＧ３，特許文献６に記載のクラッチ板７Ａ，７Ｂ，及び特許文献７に記載の歯車１０Ａ，１０Ｂは，係止手段に相当する。
【０００６】
特許文献２乃至特許文献７に開示されているプール床支持装置は，可動床を単に支持するのみであって，可動床を昇降する力を可動床に作用するものではない。特許文献３は，この点に関し，複数のプール床支持装置を同期して制御する困難性を指摘している。
【０００７】
しかし，複数のプール床昇降装置を同期して制御することは，現実には，プール床昇降装置の実現の障害にはならない。可動床の下面から力を作用して可動床を昇降するプール床昇降装置を可動床の中間部に複数設けることは，力が加えられる位置を分散可能であるため，かえって有利である。
【０００８】
下面から力を作用して可動床を昇降するプール床昇降装置に求められる第１の要求は，その構造が簡便であることである。可動床とプール槽の床面との間の空間には作業員が入りにくいため，かかる空間に設置されるプール床支持装置は，構造が簡便であることが好適である。特許文献３乃至特許文献７に記載のプール床支持装置のように，噛み合いによってアームを係止する係止手段がプール床支持装置に含まれることは，構造の簡便化の点から好ましくない。噛み合いによってアームを係止する係止手段の排除が望まれる。
【０００９】
下面から力を作用して可動床を昇降するプール床昇降装置に求められる第２の要求は，プール槽の深さ方向にコンパクトに収納可能なことである。可動床の下面から可動床を支持する装置は，可動床とプール槽の床面との間に収納され，従って，可動床とプール槽の床面との間は，デッドスペースとなる。可動床を支持する装置が高さ方向にコンパクトに収納可能であることは，地面を掘削してプール槽を設置するときに地面を掘削する掘削量を減少させ，コスト的に有利である。
【００１０】
【特許文献１】
特許第２８５５４５２号公報
【特許文献２】
特開２０００−１６０８６０号公報
【特許文献３】
特許第２６９６３６５号公報
【特許文献４】
特許第２６９４９３７号公報
【特許文献５】
実用新案登録第２５６３５２６号公報
【特許文献６】
実開平３−４０４４５号公報
【特許文献７】
特開平９−８８３６５号公報
【００１１】
【発明が解決しようとする課題】
本発明の目的は，可動床の下面から力を作用して可動床を昇降するプール床昇降装置の構造を簡素化することにある。
本発明の他の目的は，可動床の下面から力を作用して可動床を昇降するプール床昇降装置を，プール槽の深さ方向にコンパクトに収容可能にすることである。
【００１２】
【課題を解決するための手段】
以下に，［発明の実施の形態］で使用される番号・符号を用いて，課題を解決するための手段を説明する。これらの番号・符号は，［特許請求の範囲］の記載と［発明の実施の形態］の記載との対応関係を明らかにするために付加されている。但し，付加された番号・符号は，［特許請求の範囲］に記載されている発明の技術的範囲の解釈に用いてはならない。
【００１３】
本発明によるプール床昇降装置は，駆動装置（２０，３５）と，駆動装置（２０，３５）によって回転運動が与えられるねじ軸（１４−１）（３０）と，ねじ軸（１４−１）（３０）に挿入され，ねじ軸（１４−１）（３０）の回転運動によって直線運動を行うナット（１２，１３）（２９）と，可動床（１）の下面に接合され，ナット（１２，１３）（２９）の直線運動を，可動床（１）を昇降する昇降運動に変換する昇降機構（２−１，２２）とを備えている。ねじ軸（１４−１）（３０）の回転運動は，ナット（１２，１３）（２９）の直線運動を介して可動床（１）を昇降する昇降運動に容易に変換される一方，可動床（１）に力を作用しても，ねじ軸（１４−１）（３０）は，回転運動しない。このような構造は，可動床（１）を支持するためにラチェット等の係止手段を設けることを不要化し，プール床昇降装置の構造を簡素化する。
【００１４】
昇降機構（２−１，２２）は，可動床（１）をその内部に収容するプール槽（３）の床面（３ａ）と，可動床（１）の下面との間に介設され，ナット（１２，１３）（２９）によって駆動されてねじ軸（１４−１）（３０）と垂直な方向に伸縮するリンク機構を含むことが好適である。
【００１５】
昇降機構（２−１）として，パンタグラフ機構が使用され得る。この場合，当該プール床昇降装置は，更に，駆動装置（２０）に接続され，駆動装置（２０）によって回転される第１ロッド（１９）と，第２ロッド（１７）と，第１ロッド（１９）と第２ロッド（１７）とを屈曲可能に，且つ，回転運動を伝達可能に連結する第１自在継手（１８）と，第２ロッド（１７）とねじ軸（１４−１）とを屈曲可能に，且つ，回転運動を伝達可能に連結する第２自在継手（１６）とを備える。更に，ナット（１２，１３）は，第１ナット（１２）と第２ナット（１３）とを含む。パンタグラフ機構（２−１）は，一端が，プール槽（３）の床面（３ａ）に回動可能に接続される第１アーム（４）及び第２アーム（５）と，一端が可動床（１）の下面に回動可能に接続され，他端が第１アーム（４）に回動可能に接続される第３アーム（６）と，一端が可動床（１）の下面に回動可能に接続され，他端が第２アーム（５）と回動可能に接続される第４アーム（７）とを備えて構成される。第１ナット（１２）は，第１アーム（４）と第３アーム（６）との少なくとも一方に回動可能に接合され，第２ナット（１３）は，第２アーム（５）と第４アーム（７）との少なくとも一方に回動可能に接合される。
【００１６】
第１ロッド（１９）は，プール槽（３）の側面（３ｂ）を貫通して設けられ，駆動装置（２０）は，プール槽（３）の外部に設けられることが好適である。駆動装置（２０）がプール槽（３）の外部に設けられることは，駆動装置（２０）のメンテナンスを容易化する。
【００１７】
また，昇降機構（２２）は，一端がプール槽（３）の床面（３ａ）に回動可能に接続され，他端が可動床（１）の下面に接触する第１アーム（２３）と，一端が可動床（１）の下面に回動可能に接続され，他端がプール槽（３）の床面（３ａ）に接触し，前記他端の近傍にナット（２９）が回動可能に接合された第２アーム（２４）と，第１アーム（２３）と第２アーム（２４）とのそれぞれの中間部に設けられ，第１アーム（２３）と第２アーム（２４）とを相互に回転可能に連結するピン（２７）とを含むことがある。
【００１８】
当該プール床昇降装置が，ねじ軸（３０）を駆動装置（３５）に連結するロッド（３３）を備えている場合，ロッド（３３）は，プール槽（３）の側面（３ｂ）を貫通して設けられ，駆動装置（３５）は，プール槽（３）の外部に設けられることが好適である。
【００１９】
更に，第１アーム（２３）の可動床（１）の下面に接触する端には，第１ローラ（３６）が設けられることが好適であり，第２アーム（２４）のプール槽（３）の床面（３ａ）に接触する端には，第２ローラ（３７）が設けられることが好適である。
【００２０】
可動床（１）の下面の複数の点で可動床（１）を支持するためには，当該プール床昇降装置は，更に，ねじ軸（１４−１）と，同体に回転するようにねじ軸（１４−１）に連結された他のねじ軸（１４−２）と，他のねじ軸（１４−２）に挿入され，他のねじ軸（１４−２）の回転運動によって直線運動を行う他のナット（１２，１３）と，可動床（１）の下面に接合され，前記他のナット（１２，１３）の直線運動を，可動床（１）を昇降する昇降運動に変換する他の昇降機構（２−２）とを備えていることが好適である。このような構造は，昇降機構（２−１）と，他の昇降機構（２−２）との同期が容易である点で好適である。
【００２１】
【発明の実施の形態】
以下，添付図面を参照しながら，本発明によるプール床昇降装置の実施の一形態を説明する。
【００２２】
（実施の第１形態）
本発明によるプール床昇降装置の実施の第１形態では，図１に示されているように，昇降可能な可動床１が，リンク機構の一種であるパンタグラフ機構２−１，２−２とともに設けられている。パンタグラフ機構２−１，２−２は，プール槽３の床面３ａに固定されている。パンタグラフ機構２−１，２−２は，可動床１の下面に接合され，可動床１を下側から支持する。パンタグラフ機構２−１，２−２は，同一の構造を有しており，以下において，パンタグラフ機構２−１，２−２を区別しない場合には，これらは，パンタグラフ機構２として参照される。
【００２３】
パンタグラフ機構２は，下部アーム４，５と，上部アーム６，７とを含む。下部アーム４，５の下端は，ピン８によって，プール槽３の床面３ａに回動可能に連結されている。上部アーム６，７の上端は，ピン９によって，可動床１の下面に回動可能に連結されている。
【００２４】
図２は，パンタグラフ機構２を上側から（可動床１の方向から）みた上面図である。下部アーム４の上端と上部アーム６の下端とは，ピン１０によって回動可能に連結され，下部アーム５の上端と上部アーム７の下端とは，ピン１１によって回動可能に連結されている。
【００２５】
ピン１０には，ナット１２が挿入され，ピン１１には，ナット１３が挿入されている。図１に示されているように，ピン１０により，ナット１２と下部アーム４及び上部アーム６とは，回動可能に連結され，ピン１１により，ナット１３と下部アーム５及び上部アーム７とは，回動可能に連結される。ナット１２とナット１３とは，ねじ山が逆の方向に形成されている。
【００２６】
パンタグラフ機構２−１のナット１２，１３には，ねじ軸１４−１が挿入され，パンタグラフ機構２−２のナット１２，１３には，ねじ軸１４−２が挿入されている。ねじ軸１４−１，１４−２としては，典型的には，台形ねじが使用される。ナット１２，１３と，ねじ軸１４−１，１４−２として，ボールねじが採用されることも可能である。ねじ軸１４−１とねじ軸１４−２とは，ロッド１５によって同体に連結される。
【００２７】
ねじ軸１４−１のロッド１５が接合されていない方の端は，自在継手１６によってロッド１７に連結されている。自在継手１６は，ねじ軸１４−１とロッド１７との相対回転を拘束しながら，ねじ軸１４−１とロッド１７とを，屈曲可能に連結する。
【００２８】
ロッド１７は，自在継手１８によってロッド１９に接合されている。自在継手１８は，ロッド１７とロッド１９との相対回転を拘束しながら，ロッド１７とロッド１９とを，屈曲可能に連結する。ねじ軸１４−１，１４−２，及びロッド１５，１７，１９は同体に連結され，ロッド１９が回転するとねじ軸１４−１，１４−２も同体に回転する。
【００２９】
ロッド１９は，プール槽３の側壁３ｂを貫通し，ロッド１９の一端は，プール槽３の外部にある。ロッド１９は，プール槽３の外部にある端において，回転動力を発生する駆動装置２０に接合されている。駆動装置２０は，プール槽３の外部に設けられることになる。駆動装置２０がプール槽３の外部に設けられることは，駆動装置２０のメンテナンスが容易になる点で好ましい。ロッド１９は，軸受２１によって回転可能に支持されている。軸受２１は，プール槽３の内部の水をプール槽３の外部に漏らさないように，気密性を有している。
【００３０】
可動床１の昇降は，駆動装置２０が発生する回転動力によって行われる。ロッド１９が駆動装置２０によって回転されると，自在継手１８，ロッド１７，自在継手１６を介してロッド１９に連結されているねじ軸１４−１，１４−２は，ロッド１９と同体に回転する。ねじ軸１４−１，１４−２に挿入されているナット１２，１３のねじ山は，互いに逆に切られているため，ねじ軸１４−１，１４−２が回転すると，ナット１２，１３は互いに逆の方向に直線運動する。
【００３１】
ナット１２，１３が離れる方向にねじ軸１４−１，１４−２が回転された場合，図１の破線で示されているように，パンタグラフ機構２−１，２−２は，可動床１に垂直な方向に縮み，可動床１は下降する。逆に，ナット１２，１３が近づく方向に方向にねじ軸１４−１，１４−２が回転された場合，パンタグラフ機構２−１，２−２は，可動床１に垂直な方向に伸張し，可動床１は上昇する。
【００３２】
ねじ軸１４−１，１４−２及びロッド１５は，可動床１の昇降とともに昇降する必要がある。自在継手１６，１８は，ねじ軸１４−１，１４−２及びロッド１５が昇降することを可能にする役割を果たす。更に，自在継手１６，１８は，ねじ軸１４−１，１４−２と垂直な方向に衝撃が可動床１に加えられたときに，ねじ軸１４−１，１４−２を，それと垂直な方向に微少に移動可能にし，可動床１に加えられた衝撃を緩和する役割を果たす。
【００３３】
同体に回転するねじ軸１４−１，１４−２によってパンタグラフ機構２−１，２−２が駆動されることは，パンタグラフ機構２−１，２−２の同期が容易になる点で好ましい。可動床１を水平に昇降するためには，パンタグラフ機構２−１，２−２は，可動床１を同一の速度で昇降する必要がある。ねじ軸１４−１，１４−２とが同体に回転する上述の構造は，ねじ軸１４−１の回転によって伸縮するパンタグラフ機構２−１と，ねじ軸１４−２の回転によって伸縮するパンタグラフ機構２−２とが，同一の速度で可動床１を昇降することを可能にする。
【００３４】
本実施の形態のプール床昇降装置では，可動床１の支持が，可動床１を昇降する駆動力を伝達するねじ軸１４−１，１４−２及びナット１２，１３自身によって行われ，可動床１を支持するための他の係止手段（例えば，ラチェット）は不要である。ねじ軸１４−１，１４−２の回転運動の，可動床１の昇降運動への変換は容易に行われる一方，可動床１に，可動床１に垂直な方向の力を加えても，可動床１に加えられた力は，ナット１２，１３のねじ山と，ねじ軸１４−１，１４−２のねじ山との面圧を大きくすることに作用するだけである。可動床１に垂直な方向の力によっては，ナット１２，１３は直線運動を行わない。このように，本実施の形態のプール床昇降装置は，可動床１を支持するための他の係止手段は不要であり，構造が簡素化される。
【００３５】
更に，本実施の形態のプール床昇降装置は，プール槽３の深さ方向にコンパクトに収容可能である。図１の破線で示されているように，本実施の形態のプール床昇降装置では，パンタグラフ機構２の下部アーム４，５は，プール槽３の床面３ａに回動可能に連結され，上部アーム６，７は，可動床１の下面に回動可能に連結されている。従って，可動床１が下降されたときにパンタグラフ機構２の下部アーム４，５及び上部アーム６，７が，可動床１（及びプール槽３の床面３ａ）となす角を小さくすることができる。これは，プール床昇降装置をプール槽３の深さ方向にコンパクトに収容することを可能する。プール床昇降装置が，プール槽３の深さ方向にコンパクトに収容可能であることは，プール槽３の作成に必要な掘削量を削減でき，コストの削減に有用である。
【００３６】
以上に説明されているように，実施の第１形態のプール床昇降装置は，可動床１を支持するために，ラチェットのような係止手段が不要であり，その構造の簡素化が可能である。更に，実施の第１形態のプール床昇降装置は，プール槽３の深さ方向にコンパクトに収容可能である。
【００３７】
本実施の形態において，ナット１２は，下部アーム４と上部アーム６との両方に連結されている必要はなく，ナット１３は，下部アーム５と上部アーム６との両方に連結されている必要はない。ナット１２が下部アーム４のみに回動可能に連結され，ナット１３が下部アーム５のみに回動可能に連結される構成も可能である。同様に，ナット１２が上部アーム６のみに回動可能に連結され，ナット１３が上部アーム７のみに回動可能に連結される構成も可能である。
【００３８】
（実施の第２形態）
図３は，本発明によるプール床昇降装置の実施の第２形態を示す。実施の第２形態では，昇降可能な可動床１が，リンク機構の一種であるシザース機構２２とともに設けられている。シザース機構２２は，可動床１の下面とプール槽３の床面３ａとの間に介設され，シザース機構２２は，可動床１を下面から支持する。
【００３９】
シザース機構２２は，第１アーム２３と第２アーム２４とを備えている。第１アーム２３は，その下端において，ピン２５によって，プール槽３の床面３ａに回動可能に連結されている。第２アーム２４は，その上端において，ピン２６によって可動床１の下面に回動可能に連結されている。第１アーム２３と第２アーム２４とは，互いの中間部において，ピン２７によって回動可能に連結されている。第１アーム２３の上端には，ローラ３６が接合され，第１アーム２３と可動床１の下面とは，滑らかに摺動可能である。同様に，第２アーム２４の下端には，ローラ３７が接合され，第２アーム２４とプール槽３の床面３ａとは，滑らかに摺動可能である。
【００４０】
第２アーム２４は，その下端の近傍において，ナット２９がピン２８によって回動可能に連結されている。ナット２９には，ねじ軸３０が挿入されている。第１アーム２３は，その下端の近傍において，支持筒３２がピン３１によって回動可能に連結されている。ねじ軸３０は，支持筒３２に通されている。支持筒３２は，ねじ軸３０と摺動可能に接触しており，ねじ軸３０を支持する。
【００４１】
ねじ軸３０の一端は，ロッド３３に連結されている。ロッド３３は，プール槽３の側壁３ｂを貫通して設けられている。ロッド３３は，軸受３４によって回転可能に支持されている。ロッド３３の，ねじ軸３０に接続されていない端には，回転動力を発生する駆動装置３５が接合されている。
【００４２】
可動床１の昇降は，駆動装置３５が発生する回転動力によって行われる。ロッド３３が駆動装置３５によって回転されると，ロッド３３に連結されているねじ軸３０は，ロッド３３と同体に回転する。ねじ軸３０が回転すると，ナット２９は直線運動する。
【００４３】
ナット２９が図３の右方向に移動するようにねじ軸３０が回転された場合，シザース機構２２は，可動床１に垂直な方向に縮み，可動床１は下降する。逆に，ナット２９が図３の左方向に移動するようにねじ軸３０が回転された場合，シザース機構２２は，可動床１に垂直な方向に伸張し，可動床１は上昇する。
【００４４】
本実施の形態のプール床昇降装置では，実施の第１形態のプール床昇降装置と同様に，可動床１の支持が，可動床１を昇降する駆動力を伝達するねじ軸３０，ナット２９自身によって行われ，可動床１を支持するための他の係止手段（例えば，ラチェット）は不要である。ねじ軸３０の回転運動の，可動床１の昇降運動への変換は容易に行われる一方，可動床１に，可動床１に垂直な方向の力を加えても，加えられた力は，ナット２９のねじ山とねじ軸３０のねじ山との面圧を大きくすることに作用するだけである。可動床１に垂直な方向の力によっては，ナット２９は直線運動を行わない。このように，本実施の形態のプール床昇降装置は，可動床１を支持するための他の係止手段は不要であり，構造が簡素化される。
【００４５】
更に，本実施の形態のプール床昇降装置は，プール槽３の深さ方向にコンパクトに収容可能である。本実施の形態のプール床昇降装置では，シザース機構２２の第１アーム２３は，プール槽３の床面３ａに回動可能に連結され，可動床１の下面に摺動可能に接触している。更に，第２アーム２４は，可動床１の下面に回動可能に連結され，プール槽３の床面３ａに摺動可能に接触している。従って，可動床１が下降されたときに第１アーム２３及び第２アーム２４が，可動床１（及びプール槽３の床面３ａ）となす角を小さくすることができる。これは，プール床昇降装置をプール槽３の深さ方向にコンパクトに収容することを可能する。プール床昇降装置が，プール槽３の深さ方向にコンパクトに収容可能であることは，プール槽３の作成に必要な掘削量を削減でき，コストの削減に有用である。
【００４６】
以上に説明されているように，実施の第２形態のプール床昇降装置は，可動床１を支持するために，ラチェット等の係止手段が不要であり，その構造の簡素化が可能である。更に，実施の第２形態のプール床昇降装置は，プール槽３の深さ方向にコンパクトに収容可能である。
【００４７】
実施の第２形態において，実施の第１形態と同様に，シザース機構２２と同一の構成を有する他のシザース機構と，ねじ軸３０と同体に回転する他のねじ軸が設けられ，該他のねじ軸によって該他のシザース機構の伸縮が行われることが可能である。このような構造は，実施の第１形態と同様に，シザース機構の伸縮の同期を容易化する。
【００４８】
【発明の効果】
本発明により，可動床の下面から力を作用して可動床を昇降するプール床昇降装置の構造が簡素化される。
また，本発明により，可動床の下面から力を作用して可動床を昇降するプール床昇降装置が，プール槽の深さ方向にコンパクトに収容可能になる。
【図面の簡単な説明】
【図１】図１は，本発明によるプール床昇降装置の実施の第１形態を示す側面図である。
【図２】図２は，本発明によるプール床昇降装置の実施の第１形態を示す上面図である。
【図３】図３は，本発明によるプール床昇降装置の実施の第２形態を示す側面図である。
【符号の説明】
１：可動床
２：パンタグラフ機構
３：プール槽
３ａ：床面
３ｂ：側壁
４，５：下部アーム
６，７：上部アーム
８〜１１：ピン
１２，１３：ナット
１４−１，１４−２：ねじ軸
１５，１７，１９：ロッド
１６，１８：自在継手
２０：駆動装置
２１：軸受
２２：シザース機構
２３：第１アーム
２４：第２アーム
２５，２６，２７，２８，３１：ピン
２９：ナット
３０：ねじ軸
３２：支持筒
３３：ロッド
３４：軸受
３５：駆動装置
【図１】
2004116243.tif 000003
【図２】
2004116243.tif 000004
【図３】
2004116243.tif 000005